(57)【要約】【課題】より強固に光学素子を保持することができる保持枠、光学素子保持ユニット、レンズ鏡筒ユニットおよび撮像装置を提供する。【解決手段】入射した光の進行方向を該進行方向と直交する方向に偏向して出射する光学素子７を保持し、光学素子７を保持した状態で光学素子７の光の入射面７２および出射面７３をそれぞれ露出する２つの開口部８１１，８１２が形成された保持枠８１において、開口部８１１，８１２の内縁近傍であって光学素子７を保持した状態で光学素子７の側面と対向する位置に設けられ、開口部８１１，８１２から遠ざかるほど開口部８１１，８１２の中心軸に近づくとともに、少なくとも一部が粗面化された表面を有する切欠部８１３ａおよび切欠部８１３ｂを備える。【選択図】図７
2013057764.tif 000002
【特許請求の範囲】
【請求項１】
入射した光の進行方向を該進行方向と直交する方向に偏向して出射する光学素子を保持し、前記光学素子を保持した状態で前記光学素子の前記光の入射面および出射面をそれぞれ露出する２つの開口部が形成された保持枠において、
前記開口部の内縁近傍であって前記光学素子を保持した状態で前記光学素子の側面と対向する位置に設けられ、該開口部から遠ざかるほど該開口部の中心軸に近づくとともに、少なくとも一部が粗面化された表面を有する切欠部を備えたことを特徴とする保持枠。
【請求項２】
前記切欠部の粗面化された表面は、
前記開口部の中心軸に対する傾斜角が所定のパターンで変化するジグザク形状をなすことを特徴とする請求項１に記載の保持枠。
【請求項３】
前記切欠部の粗面化された表面は、複数の曲面からなることを特徴とする請求項１に記載の保持枠。
【請求項４】
前記切欠部の周囲に位置する内壁面のうち前記光学素子を保持した状態で前記光学素子の側面と対向する部分が粗面化されていることを特徴とする請求項１〜３のいずれか一つに記載の保持枠。
【請求項５】
前記切欠部の周囲に位置する内壁面のうち前記光学素子を保持した状態で前記光学素子の側面と対向する内壁面は、前記開口部から遠ざかるほど前記開口部の中心軸に近づく形状をなすことを特徴とする請求項１〜４のいずれか一つに記載の保持枠。
【請求項６】
請求項１〜５のいずれか一つに記載の保持枠と、
前記保持枠に保持される前記光学素子と、
前記切欠部の傾斜面と前記光学素子との間に充填されて前記光学素子を前記保持枠に固定する接着部材と、
を備えたことを特徴とする光学素子保持ユニット。
【請求項７】
前記光学素子は、前記保持枠に保持される側面の表面であって前記接着部材が充填される表面が粗面化されていることを特徴とする請求項６に記載の光学素子保持ユニット。
【請求項８】
前記光学素子は、プリズムまたはレンズであることを特徴とする請求項６または７に記載の光学素子保持ユニット。
【請求項９】
請求項６〜８のいずれか一つに記載の光学素子保持ユニットと、
前記保持ユニットを固定するとともに、前記光の進行方向に沿って前記光学素子保持ユニットの後段に設けられ、前記光の進行方向と平行な光軸を有する光学系を保持する固定枠と、
を備えたことを特徴とするレンズ鏡筒ユニット。
【請求項１０】
請求項９に記載のレンズ鏡筒ユニットを備えたことを特徴とする撮像装置。
【発明の詳細な説明】
【技術分野】
【０００１】
本発明は、光学素子を保持する保持枠、光学素子保持ユニット、光学素子保持ユニットを備えたレンズ鏡筒ユニットおよび撮像装置に関する。
【背景技術】
【０００２】
近年、デジタルカメラやデジタルビデオカメラ等の撮像装置では、撮像光学系にプリズムやミラー等の光学素子により光路を折り曲げる折り曲げ光学系を適用したものが知られている。
【０００３】
ところで、レンズやプリズム等の光学素子を保持枠や鏡筒等に固定する場合、接着剤によって固定を行っている。この場合、接着剤は、環境温度で軟化または膨張するため、光学素子を固定した位置がずれ易かった。このため、接着剤により光学素子を保持枠や鏡筒等に固定した際に接着状態を維持できる技術が開示されている（特許文献１参照）。この技術では、光学素子の接着面または光学素子を保持する固定部材の接着面の少なくとも一方を粗く形成することにより、良好な接着状態を維持することができる。
【先行技術文献】
【特許文献】
【０００４】
【特許文献１】特開２００６−１７８３８８号公報
【発明の概要】
【発明が解決しようとする課題】
【０００５】
しかしながら、上述した技術では、撮像装置が落下等により衝撃を受けた場合、接着剤により固定されているにも関わらず、光学素子が保持枠から外れたり、光学素子の光軸がずれたりする場合があった。
【０００６】
本発明は、上記に鑑みてなされたものであって、耐衝撃性に優れ、より強固に光学素子を保持することができる保持枠、光学素子保持ユニット、レンズ鏡筒ユニットおよび撮像装置を提供することを目的とする。
【課題を解決するための手段】
【０００７】
上述した課題を解決し、目的を達成するために、本発明にかかる保持枠は、入射した光の進行方向を該進行方向と直交する方向に偏向して出射する光学素子を保持し、前記光学素子を保持した状態で前記光学素子の前記光の入射面および出射面をそれぞれ露出する２つの開口部が形成された保持枠において、前記開口部の内縁近傍であって前記光学素子を保持した状態で前記光学素子の側面と対向する位置に設けられ、該開口部から遠ざかるほど該開口部の中心軸に近づくとともに、少なくとも一部が粗面化された表面を有する切欠部を備えたことを特徴とする。
【０００８】
本発明にかかる保持枠は、上記発明において、前記切欠部の粗面化された表面は、前記開口部の中心軸に対する傾斜角が所定のパターンで変化するジグザク形状をなすことを特徴とする。
【０００９】
本発明にかかる保持枠は、上記発明において、前記切欠部の粗面化された表面は、複数の曲面からなることを特徴とする。
【００１０】
本発明にかかる保持枠は、上記発明において、前記切欠部の周囲に位置する内壁面のうち前記光学素子を保持した状態で前記光学素子の側面と対向する部分が粗面化されていることを特徴とする。
【００１１】
本発明にかかる保持枠は、上記発明において、前記切欠部の周囲に位置する内壁面のうち前記光学素子を保持した状態で前記光学素子の側面と対向する内壁面は、前記開口部から遠ざかるほど前記開口部の中心軸に近づく形状をなすことを特徴とする。
【００１２】
本発明にかかる光学素子保持ユニットは、上述した前記保持枠と、前記保持枠に保持される前記光学素子と、前記切欠部の傾斜面と前記光学素子との間に充填されて前記光学素子を前記保持枠に固定する接着部材と、を備えたことを特徴とする。
【００１３】
本発明にかかる光学素子保持ユニットは、上記発明において、前記光学素子は、前記保持枠に保持される側面の表面であって前記接着部材が充填される表面が粗面化されていることを特徴とする。
【００１４】
本発明にかかる光学素子保持ユニットは、上記発明において、前記光学素子は、プリズムまたはレンズであることを特徴とする。
【００１５】
本発明にかかるレンズ鏡筒ユニットは、上記した光学素子保持ユニットと、前記保持ユニットを固定するとともに、前記光の進行方向に沿って前記光学素子保持ユニットの後段に設けられ、前記光の進行方向と平行な光軸を有する光学系を保持する固定枠と、を備えたことを特徴とする。
【００１６】
本発明にかかる撮像装置は、上記したレンズ鏡筒ユニットを備えたことを特徴とする。
【発明の効果】
【００１７】
本発明によれば、開口部の内縁近傍であって光学素子を保持した状態で光学素子の側面と対向する位置に設けられ、この開口部から遠ざかるほど開口部の中心軸に近づくとともに、少なくとも一部が粗面化された表面を有する切欠部を備えるので、接着剤の表面積が拡大するとともに、アンカー効果によって接着強度が向上する。この結果、より強固に光学素子を保持することができ、耐衝撃性に優れる効果を奏する。
【図面の簡単な説明】
【００１８】
【図１】図１は、本発明の実施の形態１にかかる撮像装置の外観を前面側から見た斜視図である。
【図２】図２は、本発明の実施の形態１にかかる撮像装置の外観を背面側から見た斜視図である。
【図３】図３は、本発明の実施の形態１にかかるレンズ鏡筒ユニットを前面側から見た正面図である。
【図４】図４は、図３の矢視Ａ方向のレンズ鏡筒ユニットの側面図である。
【図５】図５は、図３の矢視Ｂ方向のレンズ鏡筒ユニットの上面図である。
【図６】図６は、図３のＣ−Ｃ線断面図である。
【図７】図７は、光学素子が保持枠に保持される前の光学素子保持ユニットの斜視図である。
【図８】図８は、光学素子が保持枠に保持された後の光学素子保持ユニットの斜視図である。
【図９】図９は、図７の矢視Ｄ方向の保持枠の平面図である。
【図１０】図１０は、図９の矢視Ｅ方向の保持枠の側面図である。
【図１１】図１１は、図９のＦ−Ｆ線断面図である。
【図１２】図１２は、図８のＧ−Ｇ線断面図である。
【図１３】図１３は、図１２のＺ領域の要部を拡大した拡大図である。
【図１４】図１４は、光学素子保持ユニットを固定枠に固定する際の状況を示す斜視図である。
【図１５】図１５は、本発明の実施の形態２にかかる光学素子保持ユニットの断面図である。
【図１６】図１６は、本発明の実施の形態３にかかる光学素子保持ユニットの断面図である。
【図１７】図１７は、本発明の実施の形態３の変形例にかかる光学素子保持ユニットの断面図である。
【図１８】図１８は、本発明の実施の形態４にかかる光学素子保持ユニットの断面図である。
【図１９】図１９は、図１８の切欠部の一部を拡大した拡大図である。
【図２０】図２０は、本発明の実施の形態５にかかる光学素子保持ユニットの断面図である。
【図２１】図２１は、本発明の実施の形態５の変形例にかかる光学素子保持ユニットの断面図である。
【図２２】図２２は、本発明の実施の形態６にかかる光学素子保持ユニットの要部の断面図である。
【発明を実施するための形態】
【００１９】
以下に、図面を参照して、本発明を実施するための形態（以下、「実施の形態」という）について説明する。なお、以下の説明において、本発明にかかる光学部品接着構造を有するレンズ鏡筒を備えた撮像装置の一例としてデジタルカメラを例示するが、この実施の形態によって本発明が限定されるものではない。また、図面の記載において、同一の部分には同一の符号を付している。
【００２０】
（実施の形態１）
図１は、本発明の実施の形態１にかかる撮像装置の外観を前面側から見た斜視図である。図２は、本発明の実施の形態１にかかる撮像装置の外観を背面側から見た斜視図である。なお、以下の説明において、撮像装置１の固有の座標系として、撮像装置１の幅方向をｘ軸、撮像装置１の光軸と平行な方向をｙ軸、撮像装置１の鉛直方向をｚ軸とする。
【００２１】
図１および図２に示すように、撮像装置１は、略直方体の箱型形状をなす筐体２と、筐体２内に収容され、撮像装置１の各種を制御するカメラ制御基板（図示せず）と、被写体を撮像するための折り曲げ光学系を有するレンズ鏡筒ユニット３と、を備える。
【００２２】
筐体２は、前面、両側面、上面および底面を覆うように形成された前面カバー部材２１と、背面側を覆うように形成された後面カバー部材２２と、を有する。筐体２は、前面カバー部材２１と後面カバー部材２２とが互いに対向した状態で結合されることにより、内部に空間を有する略直方体の箱型形状に形成される。
【００２３】
前面カバー部材２１の前面には、筐体２内に内蔵されるレンズ鏡筒ユニット３に対して被写体光束を入射させるための撮影用窓部２１１およびストロボ発光装置（図示せず）による発光用窓部２１２等が設けられている。前面カバー部材２１の上面部には、撮像装置１の電源をオン状態またはオフ状態に切換える電源スイッチ２１３および撮像装置１に撮影動作を指示するレリーズスイッチ２１４等が設けられている。
【００２４】
後面カバー部材２２の背面部には、撮影モードや操作メニュー等を設定する操作スイッチ群２２１および液晶または有機ＥＬ（Electro  Luminescence）からなる表示パネル等によって構成され、画像データに対応する画像を表示する表示モニタ２２２等が設けられている。
【００２５】
カメラ制御基板は、撮像装置１を構成する各部に対応する指示やデータの転送等を行って撮像装置１の動作を統括的に制御するＣＰＵ（Central  Processing  Unit）、ストロボ装置を制御するストロボ発光制御部、画像データに対して画像処理を行う画像処理部、メモリーカード等の記録媒体に画像データを書き込む記録制御部および手ブレ検出センサ等が実装されたプリント基板からなる。カメラ制御基板は、前面カバー部材２１の内部に組み込まれる。
【００２６】
ここで、レンズ鏡筒ユニット３の構造について説明する。図３は、レンズ鏡筒ユニット３を前面側から見た正面図である。図４は、図３の矢視Ａ方向のレンズ鏡筒ユニット３の側面図である。図５は、図３の矢視Ｂ方向のレンズ鏡筒ユニット３の上面図である。図６は、図３のＣ−Ｃ線断面図である。なお、図４および図６においては、左側が前面側であり、右側が背面側である。
【００２７】
図３〜図６に示すように、レンズ鏡筒ユニット３は、所定の視野領域から集光する光学系４と、光学系４が集光した光を受光して光電変換を行うことによって画像データを生成する撮像ユニット５と、光学系４および撮像ユニット５を保持する鏡筒６と、を備える。
【００２８】
光学系４は、撮像装置１の前面に設けられた撮影用窓部２１１から入射する被写体光束を、光学素子７の反射面７１によってＺ方向下向きに略直角に折り曲げるとともに、レンズ鏡筒ユニット３の底面に受光面を上向きに配設された撮像ユニット５に被写体像を結像する折り曲げ光学系（屈曲光学系）として構成される。なお、本実施の形態１では、光学素子として直角プリズムを例に説明するが、平面または曲面により構成される反射面を有する他の光学素子、たとえば可変ミラーやレンズ等により構成されてもよい。また、以下の説明において、撮影用窓部２１１を透過してレンズ鏡筒ユニット３に入射する被写体光束を第１の光軸Ｏ１とし、第１の光軸Ｏ１が光学素子７の反射面７１によって折り曲げられた光軸を第２の光軸Ｏ２とする。
【００２９】
光学系４の詳細な構造について説明する。光学系４は、光学素子７を含む第１レンズ群４１と、光軸Ｏ２上に配置され、ズームレンズを構成する第２レンズ群４２および第３レンズ群４３と、第２レンズ群４２と第３レンズ群４３との間に配置され、撮像ユニット５の状態を露光状態または遮光状態に設定するシャッタ４４と、フォーカスレンズを構成する第４レンズ群４５と、を有する。第１レンズ群４１は、光軸Ｏ１上に配置される前レンズ４１１と、光学素子７の下部であって光軸Ｏ２上に配置される後レンズ４１２と、を有する。
【００３０】
撮像ユニット５は、ＣＣＤ（Charge  Coupled  Device）またはＣＭＯＳ（Complementary  Metal  Oxide  Semiconductor）等を用いて構成され、光学系４が集光した光を受光して光電変換を行うことにより画像データを生成する撮像素子５１と、撮像素子５１を保持する撮像素子枠５２と、撮像素子５１の前面に設けられた光学ローパスフィルタ５３と、撮像素子５１が実装されるフレキシブルプリント基板５４と、を有する。
【００３１】
鏡筒６は、光学素子７を含む第１レンズ群４１を保持する光学素子保持ユニット８と、第１レンズ群４２、第３レンズ群４３、シャッタ４４、第４レンズ群４５および撮像ユニット５を保持する固定枠９と、を有する。
【００３２】
光学素子保持ユニット８は、複数のねじ部材１１により、固定枠９に固定される。なお、光学素子保持ユニット８の構造の詳細については後述する。
【００３３】
固定枠９は、第２レンズ群４２を保持する第２枠９１と、第３レンズ群４３を保持する第３枠９２と、第４レンズ群４５を保持する第４枠９３と、を有する、第２枠９１、第３枠９２および第４枠９３は、第２の光軸Ｏ２に沿って進退移動可能に固定枠９内において保持されている。これにより、撮像装置１は、合焦動作時に駆動機構（図示せず）、たとえばステッピングモータを駆動することにより、第４レンズ群４５を光軸Ｏ２上に沿って進退移動させる。この結果、撮像装置１は、被写体に焦点があった画像を撮像することができる。また、撮像装置１は、ズーム動作時に駆動機構（図示せず）を駆動することにより、第２レンズ群４２および第３レンズ群４３を光軸Ｏ２上に沿って進退移動させる。また、固定枠９には、光学素子保持ユニット８を固定する際に位置決めを行う位置決め部および複数の孔部が形成されている。なお、位置決め部および孔部については後述する。
【００３４】
以上の構成を有するレンズ鏡筒ユニット３は、ゴムやウレタン等の弾性または粘弾性を有する緩衝部材を介して筐体２内に内蔵される。これにより、撮像装置１は、落下等の衝撃からレンズ鏡筒ユニット３を保護することができる。
【００３５】
つぎに、上述した光学素子保持ユニット８の詳細な構造について説明する。図７は、光学素子７が保持枠８１に保持される前の光学素子保持ユニット８の斜視図である。図８は、光学素子７が保持枠８１に保持された後の光学素子保持ユニット８の斜視図である。図９は、図７の矢視Ｄ方向の保持枠８１の平面図である。図１０は、図９の矢視Ｅ方向の保持枠８１の側面図である。図１１は、図９のＦ−Ｆ線断面図である。図１２は、図８のＧ−Ｇ線断面図である。
【００３６】
図７〜図１２に示すように、光学素子保持ユニット８は、光学素子７と、光学素子７を保持する保持枠８１と、光学素子７と保持枠８１との間に充填されて光学素子７を保持枠８１に固定する接着部材１０と、を備える。
【００３７】
光学素子７は、直角プリズムを用いて構成される。光学素子７は、被写体光束が入射する入射面７２と、反射面７１で反射した被写体光束を光軸Ｏ２方向に出射する出射面７３と、を有する。光学素子７は、保持枠８１に保持される側面（非光学面）の表面であって接着部材１０が充填される表面がサンドブラスト処理、ヤスリがけ等による切削処理、レーザ光照射処理、プラズマ処理または化学処理のいずれか一つ以上の処理（以下、「粗面化処理」という）により粗面化されている。
【００３８】
保持枠８１は、光学素子７を保持可能な箱状に形成される。保持枠８１は、樹脂または複合材料、たとえばＡＢＳ樹脂等によって形成される。保持枠８１は、光学素子７を保持した状態で光学素子７の入射面７２および出射面７３をそれぞれ露出する開口部８１１，８１２を有する。保持枠８１は、光軸Ｏ１方向から見て略矩形状をなし、光学素子７の反射面７１を支持する底面８１３と、接着部材１０を介して光学素子７を挟み込むように保持する左右の内壁面８１４と、前レンズ４１１を保持する第１レンズ保持枠８１５と、後レンズ４１２を保持する第２レンズ保持枠８１６と、保持枠８１の外縁から左右両方向に延在する板状の固定部８１７，８１８と、を有する。なお、接着部材１０としては、紫外線硬化樹脂等であればよい。
【００３９】
底面８１３は、光軸Ｏ１方向から見て略矩形状をなす。底面８１３には、光学素子７が装着された際に光学素子７の位置を調整する調整穴部８１３ａが略中央に形成されている。
【００４０】
内壁面８１４は、開口部８１１および開口部８１２それぞれの周辺に設けられ、開口部８１１および開口部８１２から遠ざかるほど光学素子７に近づく傾斜面をなし、この傾斜面の表面の少なくとも一部が粗面化された切欠部８１４ａ（Ｃ面）および切欠部８１４ｂ（Ｃ面）を有する（図７，図８，図１２を参照）。具体的には、切欠部８１４ａおよび切欠部８１４ｂは、内壁面８１４の端辺の途上で光学素子７側に向けて角を斜めに切り落とした面取り加工が施されている（たとえば面取り角度３０度〜４５度の範囲内）。さらに、切欠部８１４ａの粗面化された表面は、開口部８１１の中心軸に対する傾斜角が不規則的なパターンを有するジグザク形成をなす。たとえば、図１３に示すように、切欠部８１４ａの粗面化された表面は、開口部８１２の中心軸（たとえば光軸Ｏ２）に対する傾斜角が１度〜４５度の範囲内でランダムに形成されている。また、内壁面８１４は、光学素子７を接着部材１０により保持枠８１に固定する際に接着部材１０の余剰分を収容する第１液溜部８１４ｃおよび第２液溜部８１４ｄを有する（図１１および図１２を参照）。
【００４１】
このように、開口部８１１，８１２の内縁近傍であって光学素子７を保持した状態で光学素子７の側面（非光学面）と対向する位置に設けられ、開口部８１１，８１２から遠ざかるほど開口部８１１，８１２の中心軸に近づくとともに、少なくとも一部が粗面化された表面を有する切欠部８１４ａおよび切欠部８１４ｂを設け、接着部材１０が切欠部８１４ａおよび切欠部８１４ｂと光学素子７との間に充填されて光学素子７と保持枠８１を固定する。これにより、接着部材１０の表面積が拡大するとともに、アンカー効果によってより接着強度が向上する。この結果、撮像装置１が落下等により光学素子保持ユニット８が衝撃を受けたとしても、光学素子７が保持枠８１からより外れにくくなるとともに、光学素子７が保持枠８１内でずれることをより防止することができ、耐衝撃性が優れる。
【００４２】
第１レンズ保持枠８１５は、光軸Ｏ１方向から見て略楕円状または略円形状をなし、前レンズ４１１を保持する。第２レンズ保持枠８１６は、光軸Ｏ２方向から見て略楕円状をなし、後レンズ４１２を保持する。第２レンズ保持枠８１６の内壁は、接着部材１０を注入するための切欠部８１６ａを有する。
【００４３】
固定部８１７は、３箇所に光軸Ｏ２に平行に貫通する円形の貫通孔８１７ａおよび嵌合孔８１７ｂを有する。固定部８１８には、２箇所に光軸Ｏ２に平行に貫通する円形の貫通孔８１８ａおよび嵌合孔８１８ｂを有する。貫通孔８１７ａおよび貫通孔８１８ａは、光軸Ｏ２方向から見て保持枠８１が保持する光学素子７の周りを囲むように形成される。
【００４４】
ここで、光学素子保持ユニット８を固定枠９に固定する固定方法について説明する。図１４は、光学素子保持ユニット８を固定枠９に固定する際の状況を示す斜視図である。
【００４５】
図１４に示すように、固定枠９の光学素子保持ユニット８を固定する上面には、固定部８１７に対向する平面部９１０が形成されている。平面部９１０には、固定部８１７の貫通孔８１７ａおよび貫通孔８１８ａそれぞれと同軸となる位置に複数の孔部９１１ａが形成されている。孔部９１１ａの径は、貫通孔８１７ａおよび貫通孔８１８ａの径より小さく形成されている。また、平面部９１０には、嵌合孔８１７ｂおよび嵌合孔８１８ｂそれぞれに対応する位置に位置決め部９１１ｂが形成されている。
【００４６】
このように、位置決め部９１１ｂを嵌合孔８１７ｂおよび嵌合孔８１８ｂで嵌合させ、
貫通孔８１７ａおよび貫通孔８１８ａそれぞれを固定枠９の孔９１１ａに対してねじ部材１１で固定することにより、光学素子保持ユニット８を固定枠９に固定することができる。
【００４７】
以上説明した本発明の実施の形態１によれば、開口部８１１，８１２の内縁近傍であって光学素子７を保持した状態で光学素子７の側面（非光学面）と対向する位置に設けられ、開口部８１１，８１２から遠ざかるほど開口部８１１，８１２の中心軸に近づくとともに、少なくとも一部が粗面化された表面を有する切欠部８１４ａおよび切欠部８１４ｂを設け、接着部材１０が切欠部８１４ａおよび切欠部８１４ｂと光学素子７との間に充填されて光学素子７と保持枠８１を固定する。これにより、接着部材１０の表面積が拡大するとともに、アンカー効果によってより接着強度が向上する。この結果、撮像装置１が落下等により光学素子保持ユニット８が衝撃を受けたとしても、光学素子７が保持枠８１からより外れにくくなるとともに、光学素子７が保持枠８１内でずれることをより防止することができ、耐衝撃性が優れる。
【００４８】
（実施の形態２）
つぎに、本発明の実施の形態２について説明する。本発明の実施の形態２にかかる光学素子保持ユニットは、切欠部の表面のみが粗面化されている。このため、以下において、光学素子保持ユニットのみ説明する。なお、図面の記載において、同一の部分には同一の符号を付している。
【００４９】
図１５は、本発明の実施の形態２にかかる光学素子保持ユニットの断面図である。図１５に示すように、光学素子保持ユニット１００は、光学素子７と、光学素子７を保持する保持枠１０１と、接着部材１０と、を有する。
【００５０】
保持枠１０１は、接着部材１０を介して光学素子７を挟み込むように保持する左右の内壁面１０２を有する。内壁面１０２は、開口部８１１から遠ざかるほど光学素子７に近づく傾斜面をなし、この傾斜面の表面の少なくとも一部が粗面化された切欠部１０２ａを有する。さらに、内壁面１０２は、第１液溜部８１４ｃを有する。
【００５１】
切欠部１０２ａは、開口部８１１の内縁近傍であって、光学素子７を保持した状態で光学素子７の側面と対向する位置に設けられ、開口部８１１から遠ざかるほど開口部８１１の中心軸に近づくとともに、少なくとも一部が粗面化された表面を有する。切欠部１０２ａは、光学素子７に向けて面取り加工されて内壁面１０２に一体的に形成される。切欠部１０２ａの粗面化された表面は、開口部８１１の中心軸に対する傾斜角が所定のパターンで変化するジグザク形状をなす。具体的には、切欠部１０２ａの粗面化された表面は、開口部８１１の中心軸に対する傾斜角が不規則的なパターンを有するジグザク形成をなす。たとえば、切欠部１０２ａの粗面化された表面は、開口部８１１の中心軸に対する傾斜角が１度〜４５度の範囲内でランダムに形成されている（図１３を参照）。
【００５２】
以上説明した本発明の実施の形態２によれば、切欠部１０２ａの表面のみ粗面化されているので、コストアップすることなく、保持枠１０１を成型する際に金型から容易に抜き出すことができる。
【００５３】
さらに、本発明の実施の形態２によれば、切欠部１０２ａの表面のみが粗面化されることで、接着部材１０の表面積を拡大するとともに、アンカー効果によって接着強度を向上することができる。これにより、撮像装置１が落下等により光学素子保持ユニット１００が衝撃を受けたとしても、光学素子７が保持枠１０１からより外れにくくなるとともに、光学素子７が保持枠１０１内でずれることをより防止することができる。
【００５４】
（実施の形態３）
つぎに、本発明の実施の形態３について説明する。本発明の実施の形態３にかかる光学素子保持ユニットは、保持枠の内壁面の形状が異なる。このため、以下において、光学素子保持ユニットのみ説明する。なお、図面の記載において、同一の部分には同一の符号を付している。
【００５５】
図１６は、本発明の実施の形態３にかかる光学素子保持ユニットの断面図である。図１６に示すように、光学素子保持ユニット２００は、光学素子７と、光学素子７を保持する保持枠２０１と、接着部材１０と、を有する。
【００５６】
保持枠２０１は、接着部材１０を介して光学素子７を挟み込むように保持する左右の内壁面２０２を有する。内壁面２０２は、開口部８１１から遠ざかるほど開口部８１１の中心軸に近づく形状をなす。具体的には、内壁面２０２は、断面が略テーパ状をなす。内壁面２０２は、光学素子７が保持枠２０１に収容された際に、接着部材１０を注入するための切欠部２０２ａを有する。さらに、内壁面２０２は、第１液溜部８１４ａを有する。
【００５７】
切欠部２０２ａは、開口部８１１の内縁近傍であって、光学素子７を保持した状態で光学素子７の側面と対向する位置に設けられ、開口部８１１から遠ざかるほど開口部８１１の中心軸に近づくとともに、少なくとも一部が粗面化処理により粗面化された表面を有する。切欠部２０２ａは、光学素子７に向けて面取り加工されて内壁面２０２に一体的に形成される。切欠部２０２ａの粗面化された表面は、開口部８１１の中心軸に対する傾斜角が所定のパターンで変化するジグザク形状をなす。具体的には、切欠部２０２ａの粗面化された表面は、開口部８１１の中心軸に対する傾斜角が不規則的なパターンを有するジグザク形成をなす。
【００５８】
以上説明した本発明の実施の形態３によれば、内壁面２０２が開口部８１１から遠ざかるほど開口部８１１の中心軸に近づく形状をなし、切欠部２０２ａを含む内壁面２０２の表面全体が粗面化されている。これにより、保持枠２０１を成型時に金型から容易に抜き出すことができるとともに、撮像装置１が落下等により光学素子保持ユニット２００に衝撃を受けたとしても、光学素子７が保持枠２０１から外れることをより防止することができる。
【００５９】
（実施の形態３の変形例）
上述した実施の形態３では、光学素子７の断面が矩形状であったが、たとえば光学素子の形状を変更することも可能である。
【００６０】
図１７は、本発明の実施の形態３の変形例にかかる光学素子保持ユニットの断面図である。図１７に示すように、光学素子２１０は、断面が底面から上面に向けて広がるように傾斜して形成される。具体的には、光学素子２１０は、断面がテーパ状に形成される。さらに、光学素子２１０の非光学面が粗面化されている。
【００６１】
以上説明した本発明の実施の形態３の変形例によれば、光学素子２１０が底面から上面に向けて広がるように傾斜して形成しているので、接着部材１０の使用量を低減することができるとともに、撮像装置１が落下等により光学素子保持ユニット２００に衝撃を受けたとしても、光学素子２１０が保持枠２０１から外れることをより防止することができる。
【００６２】
（実施の形態４）
つぎに、本発明の実施の形態４について説明する。本発明の実施の形態４にかかる光学素子保持ユニットは、保持枠の内壁面に形成される粗面化が異なる。このため、以下において、光学素子保持ユニットのみ説明する。なお、図面の記載において、同一の部分には同一の符号を付している。
【００６３】
図１８は、本発明の実施の形態４にかかる光学素子保持ユニットの断面図である。図１８に示すように、光学素子保持ユニット３００は、光学素子７と、樹脂等で形成された保持枠３０１と、接着部材１０と、を備える。
【００６４】
保持枠３０１は、接着部材１０を介して光学素子７を挟み込むように保持する左右の内壁面３０２を有する。内壁面３０には、光学素子７が保持枠３０１に収容されて固定される際に接着部材１０を注入するための切欠部３０２ａおよび第１液溜部８１４ｃを有する。切欠部３０２ａを含む内壁面３０２の表面は、複数の曲面からなる。具体的には、図１９に示すように、断面から見たとき各曲面の接線が一致するように形成される。
【００６５】
以上説明した本発明の実施の形態４によれば、切欠部３０２ａを含む内壁面３０２の表面が複数の曲面からなるので、接着部材１０の表面積が拡大するとともに、アンカー効果によって接着強度が向上する。この結果、撮像装置１が落下等により光学素子保持ユニット３００が衝撃を受けたとしても、光学素子７が保持枠３０１からより外れなくなるとともに、光学素子７が保持枠３０１内でずれることをより防止することができる。
【００６６】
（実施の形態５）
つぎに、本発明の実施の形態５について説明する。本発明の実施の形態５にかかる光学素子保持ユニットは、保持枠の形状が異なる。このため、以下において、光学素子保持ユニットのみ説明する。なお、図面の記載において、同一の部分には同一の符号を付している。
【００６７】
図２０は、本発明の実施の形態５にかかる光学素子保持ユニットの断面図である。図２０に示すように、光学素子保持ユニット４００は、光学素子７と、樹脂等で形成された保持枠４０１と、接着部材１０と、を備える。
【００６８】
保持枠４０１は、接着部材１０を介して光学素子７を挟みこむように保持する左右の内壁面４０２を有する。内壁面４０２は、断面がテーパ状に形成される。内壁面４０２は、第１液溜部８１４ｃを有する。内壁面４０２の表面全体は、粗面化処理により粗面化されている。
【００６９】
以上説明した本発明の実施の形態５によれば、保持枠４０１の内壁面４０２の断面をテーパ状に形成するとともに、内壁面４０２の表面全体が粗面化されることにより、保持枠４０１を簡易に製造できるとともに、接着部材１０の表面積がより拡大するとともに、アンカー効果によって接着強度が向上する。
【００７０】
（実施の形態５の変形例）
上述した実施の形態５では、内壁面４０２の粗面化された表面は、開口部８１１の中心軸に対する傾斜角が不規則のパターンで変化するジグザク形状をなしていたが、たとえば開口部８１１の中心軸に対する傾斜角が規則的に変化するジグザク形成をなしてもよい。
【００７１】
図２１は、本発明の実施の形態５の変形例にかかる光学素子保持ユニットの断面図である。図２１に示すように、内壁面４０３は、階段状になるように開口部８１１の中心軸に対する傾斜角が規則的に変化するジグザク形成をなす。
【００７２】
以上説明した本発明の実施の形態５の変形例によれば、保持枠４０１の内壁面４０３の粗面化された表面が階段状になるように開口部８１１の中心軸に対する傾斜角が規則的に変化するジグザク形成をなす。これにより、保持枠４０１を成型時に金型から容易に抜き出すことができるとともに、撮像装置１が落下等により光学素子保持ユニット４００が衝撃を受けたとしても、光学素子７が保持枠４０１からより外れにくくすることができる。
【００７３】
また、本発明の実施の形態５の変形例を上述した切欠部の粗面化された表面にも適用することができる。
【００７４】
（実施の形態６）
つぎに、本発明の実施の形態６について説明する。本発明の実施の形態６にかかる光学素子保持ユニットは、粗面化される表面の位置が異なる。このため、以下においては、光学素子保持ユニットのみを説明する。なお、図面の記載において、同一の部分には同一の符号を付している。
【００７５】
図２２は、本発明の実施の形態６にかかる光学素子保持ユニットの要部の断面図である。図２２に示すように、光学素子保持ユニット５００は、前レンズ５０１と、前レンズ５０１を保持する第１レンズ保持枠５０２と、接着部材１０と、を備える。
【００７６】
前レンズ５０１は、第１レンズ保持枠５０２に保持される側面（非光学面）の表面であって接着部材１０が充填される表面が粗面化されている。第１レンズ保持枠５０２は、前レンズ５０１を保持する内壁面５０３を有する。内壁面５０３は、開口部８１１の内縁近傍であって前レンズ５０１を保持した状態で前レンズ５０１の側面と対向する位置に設けられ、開口部８１１から遠ざかるほど開口部８１１の中心軸に近づくとともに、少なくとも一部が粗面化された表面を有する切欠部５０２ａが形成されている。
【００７７】
切欠部５０２ａは、開口部８１１から遠ざかるほどレンズ５０１に近づく傾斜面をなし、傾斜面の表面の少なくとも一部が粗面化されている。切欠部５０２ａは、面取り加工されて第１レンズ保持枠５０２に一体的に形成される。切欠部５０２ａを含む内壁面５０３の表面の少なくとも一部が粗面化処理により粗面化されている。切欠部５０２ａを含む内壁面２０３の表面は、開口部８１１の中心軸に対する傾斜角が不規則のパターンで変化するジグザク形状をなす。なお、切欠部５０２ａを含む内壁面の表面は、ジグザク形状と曲面とを互い違いになすように加工を施してもよい。
【００７８】
以上説明した本発明の実施の形態６によれば、切欠部５０２ａを含む内壁面５０３の表面全体が粗面化されているので、接着部材１０の表面積を拡大するとともに、アンカー効果によって接着強度を向上することができる。これにより、撮像装置１が落下等により光学素子保持ユニット５００が衝撃を受けたとしても、前レンズ５０１が第１レンズ保持枠５０２からより外れにくくなるとともに、前レンズ５０１が第１レンズ保持枠５０２内でずれることをより防止することができる。
【００７９】
なお、上述した実施の形態では、撮像装置としてコンパクト型デジタルカメラを説明していたが、本発明は、たとえばデジタルビデオカメラおよび撮影機能を有する携帯電話やタブレット型携帯機器等の電子機器、双眼鏡および顕微鏡等にも適用することができる。
【符号の説明】
【００８０】
１                  撮像装置
２                  筐体
３                  レンズ鏡筒ユニット
４                  光学系
５                  撮像ユニット
６                  鏡筒
７，２１０                  光学素子
８，１００，２００，３００，４００，５００  光学素子保持ユニット
９                  固定枠
１０                接着剤
１１                ねじ部材
２１                前面カバー部材
２２                後面カバー部材
４１                第１レンズ群
４２                第２レンズ群
４３                第３レンズ群
４４                シャッタ
４５                第４レンズ群
５１                撮像素子
５２                撮像素子枠
５３                光学ローパスフィルタ
５４                フレキシブルプリント基板
７１                反射面
７２                入射面
７３                出射面
８１，１０１，２０１，３０１，４０１  保持枠
１０２，２０２，３０２，４０２，４０３，５０３，８１４    内壁面
１０２ａ，２０２ａ，３０２ａ，５０２ａ，８１４ａ，８１４ｂ    切欠部
２１１              撮影用窓部
２１２              発光用窓部
２１３              電源スイッチ
２１４              レリーズスイッチ
２２１              操作スイッチ群
２２２              表示モニタ
４１１，５０１      前レンズ
４１２              後レンズ
５０２              第１レンズ保持枠
８１１，８１２      開口
８１３              底面
８１３ａ            調整穴部
８１４ｃ            第１液溜部
８１４ｄ            第２液溜部
８１５              第１レンズ保持枠
８１６              第２レンズ保持枠
８１７，８１８      固定部
【図１】
2013057764.tif 000003
【図２】
2013057764.tif 000004
【図３】
2013057764.tif 000005
【図４】
2013057764.tif 000006
【図５】
2013057764.tif 000007
【図６】
2013057764.tif 000008
【図７】
2013057764.tif 000009
【図８】
2013057764.tif 000010
【図９】
2013057764.tif 000011
【図１０】
2013057764.tif 000012
【図１１】
2013057764.tif 000013
【図１２】
2013057764.tif 000014
【図１３】
2013057764.tif 000015
【図１４】
2013057764.tif 000016
【図１５】
2013057764.tif 000017
【図１６】
2013057764.tif 000018
【図１７】
2013057764.tif 000019
【図１８】
2013057764.tif 000020
【図１９】
2013057764.tif 000021
【図２０】
2013057764.tif 000022
【図２１】
2013057764.tif 000023
【図２２】
2013057764.tif 000024